(57)【特許請求の範囲】
【請求項１】
カラー鋼板からなり、天井壁の幅方向両側に側壁が夫々斜めに折り曲げられるとともに、この側壁の下縁に、外側に張出し、その張出し端に起立部を折り曲げてなる張出し縁部が設けられ、かつ、前記天井壁の両端部に固定孔が設けられた反射板と、
合成樹脂の成形品からなり、前記反射板の両端に夫々連結されるとともに、下縁に外側に張出し、その張出し端に起立部が折り曲げられ、かつ、前記反射板の張出し縁部に連続される張出し縁部が設けられた端板と
を有する反射笠を備えた照明器具であって、
前記端板の斜めとなった両側縁に、これから折れ曲がって前記反射板の側壁の端部外面を覆う一対の第１の外側突出部を一体に設け、
前記端板の上縁に、これから折れ曲がって前記反射板の天井壁の端部外面の中央部を覆う一つの第２の外側突出部を一体に設け、
前記端板における前記第１、第２の外側突出部間の縁部分に、これから折れ曲がって前記天井壁と側壁とがなす角部に対応する角部形状をなして前記反射板の端部において前記角部内面に重なる一対の内側突出部を一体に設け、
かつ、これら内側突出部と第１、第２の外側突出部とが、それらの隣接する端部間に夫々形成されたスリットを介して前記端版の両側縁および上縁に渡って連続的に設けられているとともに、前記一対の内側突出部の上面に前記固定孔に引っ掛かる係止凸部を夫々一体に突設し、
前記端板の下縁であってかつ幅方向両端部に前記反射板の張出し縁部と前記側壁とがなす溝に挿入される連結凸部を夫々一体に設け、
前記内外の各突出部が前記反射板の端部を内外から挟むように設けられた前記端板を、前記固定孔への前記係止凸部の引っ掛かりと、前記溝への前記連結凸部の挿入とにより、前記反射板の端部に連結したことを特徴とする照明器具。
【請求項２】
前記連結凸部が前記端板から前記反射板方向に前記各突出部より長く突出されているとともに、前記第１の外側突出部の下端を前記連結凸部に一体につなげたことを特徴とする前記請求項１に記載の照明器具。
【請求項３】
前記反射板の張出し縁部の起立部が断面逆Ｕの字形をなすとともに、前記連結凸部が前記起立部内に挿入される挿入部を有し、かつ、前記連結凸部と前記張出し縁部との間には前記反射板の板厚と同じ深さの段差を形成したことを特徴とする前記請求項１または２に記載の照明器具。
【請求項４】
前記端板にソケット装着孔を設け、この孔を通って前記端板に掛合される係止突起部を有したランプソケットを前記端板の内面に直接装着し、前記ランプソケットに支持される適合ランプのバルブの周面に近接されるとともに前記適合ランプのバルブ径よりも大径のバルブを備える不適合ランプの取付けを妨げる前記角部形状の板部分からなる不適合ランプセット阻止部を、前記内側突出部の先端に一体に連ねて設けたことを特徴とする前記請求項１ないし３の内いずれか１項に記載の照明器具。
【発明の詳細な説明】
【０００１】
【産業上の利用分野】
本発明は、反射笠を備えて、例えばオフィスビルや店舗などの天井に埋め込んで使用される照明器具等に係り、特に、反射笠の端板が合成樹脂製の成形品で形成された照明器具に関する。
【０００２】
【従来の技術】
図１３は従来の天井埋め込み型照明器具全体の構成を示した斜視図であって、この器具は、下面が開放された反射笠１の内部に、断面Ｖ字状をなす仕切り用のＶ形反射板２を取付けるとともに、ランプソケット３に支持される直管形けい光ランプ４をＶ形反射板２の両側に夫々配置して形成されている。
【０００３】
図１５中５はＶ形反射板２の取付け金具、６は反射笠１の長手方向両端に個別に取付けられて、Ｖ形反射板２の内側からランプソケット３に至る配線（図示しない）を覆い隠すための樋状をなす線隠しであり、その一端部はランプソケット４の近傍に配置されて不適合ランプセット阻止部６ａをなしている。この阻止部６ａは、円弧状をなしており、ランプソケット３に支持される適合ランプのバルブに近接して、この適合ランプのバルブ径よりも大径のバルブを備える不適合ランプの取付けを妨げるものである。
【０００４】
図１３に示されるように反射笠１は、板金製の反射板７と、この反射板７の長手方向両端に夫々溶接止めされた板金製の端板８とで形成されている。図１４および図１５に示されるように反射板７は、天井壁７ａの両側に斜めの側壁７ｂを互いにハの字形に配置されるように折り曲げて形成されている。
【０００５】
図１４に示されるように端板８には、天井壁７ａの端部外面に重なる複数の固定片８ａが折り曲げられているとともに、これらを間において側壁７ｂの端部外面に重なる固定片８ｂが折り曲げられている。これら複数の固定片８ａ、８ｂを反射板７の端部外面に重ねて、その部分をスポット溶接等で溶接することによって、反射板７と端板８とが連結されている。また、図１４に示されるように側壁７ｂの下縁から外側に張出して形成され張出し縁部７ｃの端部と、端板８の下縁から外側に張出して形成された張出し縁部８ｃの端部とにわたって、これらの合わせ目９を上面から覆い隠す金属製の継ぎ手板１０を設け、この板１０を両張出し縁部７ｃ、８ｃに溶接して、反射笠１が組立てられている。
【０００６】
【発明が解決しようとする課題】
前記のように従来の照明器具の反射笠１は、その反射板７と端板８とを溶接止めして組立てられているため、予め表面処理が施されているカラー鋼板を用いることができず、もっぱら組立て後に塗装をするようになっている。こうした塗装が必要であること、および組立てのために必要な溶接箇所がかなり多いことと相俟って、合わせ目９を隠すとともに反射板７と端板８の組合わせ強度を高めるための継ぎ手板１０を用いているために、反射笠１のコスト、ひいては器具のコストが高いという問題がある。
【０００７】
特に、不適合ランプの誤装着を防止するための線隠し６を別部品で設ける構成においては、さらに部品点数とその取付けの手間が増えるために、コスト高となる。
【０００８】
なお、溶接止めによる連結に代えて、ねじ、リベット等の固定部品を用いてカラー鋼板製の反射板とカラー鋼板製の端板とを連結してなる反射笠もあるが、このものにおいては固定のための部品数とそれにを用いた人手による連結の手間がきめわて多くなるから、結局のところ、コスト高であるという問題がある。
【０００９】
しかも、従来の端板構造を、そのまま踏襲して、板金に代えて合成樹脂の成形品からなる端板を採用する場合には、板金製のものと同様に数多くのねじやリベットを用いて組立てなければ、所定の組立て強度を得ることが困難であり、そのため、結局のところ、コスト高になるという問題がある。また、端板を樹脂製とした場合には、これに継ぎ手板を溶接止めできないから、この板に代わる新たな対策が必要となり、この対策を怠る場合には前記合わせ目が目立って、品質が損なわれるという問題を招く。
【００１０】
また、従来の反射笠１の張出し縁部７ｃは、その張出し端に上向きの起立部を折り曲げて断面Ｌ字状をなしているが、起立部の上端にエッジが露出している。そのため、反射笠１の組立ておよび室内天井部に反射笠１を設置する取付け施工の際等における取扱いにおいて、前記エッジにより作業者が傷を負う恐れが高いという問題がある。
【００１１】
本発明の第１の目的は、合成樹脂製の端板とカラー鋼板製の反射板とを備える反射笠の組立て強度を向上できるとともに、端板の成形寸法ばらつきの影響を少なくでき、端板と反射板との張出し縁部相互の合わせ目を目立ちづらくできて、端板が反射笠の見栄えを損うことが少なく、かつ、安価に作ることができる照明器具を得ることにある。
【００１３】
本発明の第３の目的は、前記第１の目的を達成するに当たり、反射笠の組み立てや器具の取付け施工等において作業者が傷を負うことを防止できるとともに、反射笠の組立てて強度をより向上できる照明器具を得ることにある。
【００１４】
本発明の第２の目的は、前記第１の目的を達成するに当たり、反射笠の組立て強度をより向上できる照明器具を得ることにある。
【００１５】
本発明の第４の目的は、前記第１の目的を達成するに当たり、不適合ランプの誤装着を防止できる機能を備えて、より安価に作ることができる照明器具を得ることにある。
【００１７】
【課題を解決するための手段】
前記第１の目的を達成するために、本発明は、カラー鋼板からなり、天井壁の幅方向両側に側壁が夫々斜めに折り曲げられるとともに、この側壁の下縁に、外側に張出し、その張出し端に起立部を折り曲げてなる張出し縁部が設けられ、かつ、前記天井壁の両端部に固定孔が設けられた反射板と、合成樹脂の成形品からなり、前記反射板の両端に夫々連結されるとともに、下縁に外側に張出し、その張出し端に起立部が折り曲げられ、かつ、前記反射板の張出し縁部に連続される張出し縁部が設けられた端板とを有する反射笠を備えた照明器具であって、
前記端板の斜めとなった両側縁に、これから折れ曲がって前記反射板の側壁の端部外面を覆う一対の第１の外側突出部を一体に設け、前記端板の上縁に、これから折れ曲がって前記反射板の天井壁の端部外面の中央部を覆う一つの第２の外側突出部を一体に設け、前記端板における前記第１、第２の外側突出部間の縁部分に、これから折れ曲がって前記天井壁と側壁とがなす角部に対応する角部形状をなして前記反射板の端部において前記角部内面に重なる一対の内側突出部を一体に設け、かつ、これら内側突出部と第１、第２の外側突出部とが、それらの隣接する端部間に夫々形成されたスリットを介して前記端版の両側縁および上縁に渡って連続的に設けられているとともに、前記一対の内側突出部の上面に前記固定孔に引っ掛かる係止凸部を夫々一体に突設し、前記端板の下縁であってかつ幅方向両端部に前記反射板の張出し縁部と前記側壁とがなす溝に挿入される連結凸部を夫々一体に設け、前記内外の各突出部が前記反射板の端部を内外から挟むように設けられた前記端板を、前記固定孔への前記係止凸部の引っ掛かりと、前記溝への前記連結凸部の挿入とにより、前記反射板の端部に連結したことを特徴としている。
【００２０】
また、前記第３の目的を達成するために、前記反射板の張出し縁部の起立部が断面逆Ｕの字形をなすとともに、前記連結凸部が前記起立部内に挿入される挿入部を有し、かつ、前記連結凸部と前記張出し縁部との間には前記反射板の板厚と同じ深さの段差を形成したことを特徴としている。
【００２１】
又、前記第２の目的を達成するために、前記連結凸部が前記端板から前記反射板方向に前記各突出部より長く突出されているとともに、前記第１の外側突出部の下端を前記連結凸部に一体につなげたことを特徴としている。
【００２２】
また、前記第４の目的を達成するために、前記端板にソケット装着孔を設け、この孔を通って前記端板に掛合される係止突起部を有したランプソケットを前記端板の内面に直接装着し、前記ランプソケットに支持される適合ランプのバルブの周面に近接されるとともに前記適合ランプのバルブ径よりも大径のバルブを備える不適合ランプの取付けを妨げる前記角部形状の板部分からなる不適合ランプセット阻止部を、前記内側突出部の先端に一体に連ねて設けたことを特徴としている。
【００２４】
【作用】
請求項１に係る発明の構成において、合成樹脂製の端板は、その内外の突出部で反射板の端部を内外から挟むように反射板に組み合わされて、反射板の端部開口を閉鎖する。こうした組み合わせは、内外の突出部間のスリットに反射板が通されることで実現でき、この組み合わせ状態における内外の各突出部と反射板端部との係合で、反射板と端板とが上下方向に不用意に分離することを防止する。この組み合わせにおいて、端板の連結凸部は側壁とその張出し縁部とがなす溝に挿入して、反射板と端板の張出し縁部相互を連結する。そして、外れ止め手段は、反射板と端板とを連結して、端板が反射板から外れることを防止する。
【００２５】
そのため、溶接止めによることなく反射笠を組み立てることができるので、溶接の手間を省略できるとともに、反射板にカラー鋼板を使用でき、かつ、端板が塗装を必要としない合成樹脂製であるので、塗装を必要とすることなく反射笠を得ることができる。
【００２６】
しかも、以上のように内外の突出部および連結凸部と反射板の端部とが互いに入り組んでいることにより、反射笠の組み立て強度を向上できる。それにより、ねじ止めによる外れ止め手段を設ける場合であっても、その箇所を少なくできるから、組み立てに要する部品や工数も少なくできる。
【００２７】
その上、前記溝に挿入された連結凸部は、反射板および端板の張出し縁部同志の合わせ部を上面から覆って、その合わせ目を反射笠の下方から目立ちづらくする。
【００２８】
更に、請求項１に係る発明の構成において、合成樹脂製の端板の寸法のばらつきは鋼板製の反射板に比較して大きいが、その内側突出部を反射板の天井壁と側壁とがなす角部内面に重ねたから、この角部に対応する内側突出部の角部間の寸法が天井壁の幅よりも大きめの場合には、反射板の弾性変形により吸収して反射笠を組み立てることができるとともに、同角部間の寸法が小さめの場合には、反射板と内側突出部との間に隙間を設けて反射笠を組み立てることができる。ところで、こうした寸法ばらつきの吸収に伴い反射板端部の変形や隙間が発生するにも拘らず、これらが生じる部分は反射笠の外面側であるので、それが反射笠を下側から見たときに視認されることがない。また、端板の外側突出部が反射板の側壁の外面を覆って設けられるから、この突出部が反射笠を下側から見たときに視認されることがない。
【００２９】
請求項３に係る発明の構成において、反射板の張出し縁部の起立部が断面逆Ｕの字状をなすから、この起立部のエッジが上向きに露出することがなく、それにより、反射笠の組み立てや器具の取付け施工を行う作業者が起立部に触れることがあっても、前記エッジに接触することがない。そして、この逆Ｕ字状の起立部に挿入される挿入部を端板の連結凸部に設けたから、連結凸部が略Ｌ字状をなし、その強度が高められる。しかも、こうして強度が大きくなった連結凸部の挿入部の切欠溝と、起立部から切り起こした切り起こし片との係合により、固定部品を用いることなく連結凸部が反射板の張出し縁部から外れることを防止できる。したがって、反射笠の組み立て強度をより強くできる。
【００３０】
請求項２に係る発明においては、端板に反射板の側壁に対応して設けられた突出部と連結凸部とが一体につながっているから、前記突出部は、連結凸部を支えて、連結凸部がその根元を中心に動こうとすることを防止するとともに、根元に掛かる負荷を軽減する。したがって、反射笠の組み立て強度がより向上されて、過大な衝撃が器具に加わった場合にも連結凸部と反射板との連結が損なわれる恐れをなくすことができる。
【００３１】
請求項４に係る発明の構成において、不適合ランプセット阻止部は、所定のバルブ径を有した適合ランプがランプソケットに取付けられる場合に、その邪魔となることがないとともに、不適合ランプをランプソケットにセットしようとするときには、このランプのバルブに当たって、その装着を妨げ、この不適合ランプの誤装着を防止する。また、ランプソケットはその係止突起部を端板のソケット装着孔に通して掛止することで端板に直接取付けられるから、ソケット取付け用部品を省略できるとともに、前記阻止部は端板の内側突出部に一体成形されているため、不適合ランプの誤装着を妨げるための部品も省略できる。したがって、器具全体の部品点数が削減されるとともに、組み立ての手間も少なくできるから、より安価に作ることができる。
【００３３】
【実施例】
以下、図１〜図９を参照して本発明の第１実施例を説明する。
図１は第１実施例に係る照明器具全体の構成を示した斜視図であって、この照明器具は、例えば２灯用であって、室内天井に埋め込んで設置される。この照明器具は、図１および図６に示されるように下面が開放された反射笠２１と、この内部に反射板取付け具２２を介して取付けられたＶ形反射板２３と、この反射板２３の裏側において反射笠２に固定された放電灯安定器等の点灯装置２４と、ランプソケット２５と、光源例えば反射笠２１の長手方向に離間して配置されたランプソケット２５に渡って着脱可能に支持された直管形のけい光ランプ２６とを備えている。
【００３４】
図１に示されるように反射笠２１は、内面を反射面とした一つの反射板３１と、この反射板３１の長手方向両端を個別に塞いで設けられた左右一対の端板３２とから形成されている。
【００３５】
反射笠２１の主部をなす反射板３１は例えば白色系のカラー鋼板からなる。この反射板３１は、図４〜図６に示されるように水平な平板状をなす天井壁３３の幅方向両側に、夫々側壁３４を折り曲げて形成されている。一対の側壁３４は天井壁３３との間に鈍角なして斜めに折り曲げられているとともに、図６に示されるようにハの字形の配置をなして設けられている。
【００３６】
両側壁３４の下縁には外側へ張出す張出し縁部３５が夫々設けられている。これらの縁部３５は、側壁３４の下縁から水平に折り曲げられた張出しベース３５ａと、その張出し端から垂直に起立された起立部３５ｂとから略Ｌ字状断面をなして形成されている。したがって、張出し縁部３５とこれに連なった側壁３４とにより、反射板３１の長手方向全長に渡って延びるとともに、上面が開放された溝Ａが形成されている。
【００３７】
起立部３５ｂは断面逆Ｕの字状をなして折り返されている。この折り返し部分は溝Ａに臨んでいる。図５および図７に示されるように起立部３５ｂの長手方向両端部には、溝Ａに臨む一対のスリット３６、およびこれらの間の部分からなる切り起こし片３７が夫々形成されている。
【００３８】
反射板３１の長手方向両端部には、図５に代表して示されるように一対の小判形の固定孔３８と一つのねじ受け孔３９とが形成されている。一対の固定孔３８は反射板３１の端部における幅方向両端部に夫々設けられ、かつ、ねじ受け孔３９は反射板３１の端部における幅方向中央部に形成した隆起部に設けられている。
【００３９】
左右一対の端板３２は、ＰＢＴ或いはＡＢＳ等の合成樹脂の成形品からなる。これら端板３２をＰＢＴ（ポリブチレンテレフタレート）で成形する本実施例では、端板３２に高い難燃性（難燃性を定めた規格の難燃グレードでＶ０の難燃性）を得ることができるだけでなく、反射板３１をなしたカラー鋼板と同じ白系色の成形を得ることができ、その反射特性がよい点で優れている。
【００４０】
図３〜図６に示されるように端板３２の下縁以外の縁部には、第１、第２の外側突出部４１、４２と、内側突出部４３とが夫々一体に設けられている。第１外側突出部４１は、一対あって、これらは端板３２の斜めとなった両側縁から直角に折れ曲がっていて、対応する反射板３１の側壁３４の端部外面の殆どを覆うように設けられている。第２外側突出部４２は、一つであって、端板３２の上縁の中央部から直角に折れ曲がっていて、対応する反射板３１の天井壁３３の端部外面の中央部を覆うように設けられている。
【００４１】
この外側反射部４２にはねじ受け孔３９に対向する通孔４４が設けられていて、この通孔４４を通ってねじ受け孔３９に螺合されるねじ４５により、端板３２が反射板３１に固定されるようになっている。したがって、ねじ受け孔３９およびねじ４５は第１の外れ止め手段をなしている。この手段は、より確実に反射板３１に対する端板３２の外れ止めをするために本実施例では設けたが、これは省略することもできる。
【００４２】
内側突出部４３は、一対あって、これらは端板３２における第１、第２の外側突出部４１、４２間の縁部分から直角に折れ曲っていて、対応する反射板３１の端部内面に重なり合うように設けられている。これら内側突出部４３と第１、第２の外側突出部４１、４２の隣接する端部間には夫々スリット４６（図６参照）が形成されている。したがって、各突出部４１〜４３はスリット４６を介して端板３２の両側縁および上縁に渡って連続的に設けられている。
【００４３】
一対の内側突出部４３は、反射板３１の天井壁３４と側壁３４とがなす角部に対応する角部形状をなして、反射板３１の前記角部内面に重なり合うようになっている。しかも、これら内側突出部４３の上面には前記固定孔３８と対応して係止凸部４７が夫々一体に突設されている。係止凸部４７は、内側突出部４３の上面に対して垂直状に立ち上がる係止面を端板３２の外面側に有し、かつ、この係止面から内側突出部４３の先端側に行くにしたがって次第に低くなるように傾斜する斜面を有して側面視直角三角形状をなしている。これら係止凸部４７は、固定孔３８に入り込んで、その係止面を固定孔３８に引っ掛けて端板３２を反射板３１に固定するようになっている。したがって、固定孔３８および係止凸部４７は第２の外れ止め手段をなしている。
【００４４】
端板３２の下縁には外側へ張出す張出し縁部４８が夫々設けられている。この縁部４８は、端板３２の下縁から水平に折り曲げられた張出しベース４８ａと、その張出し端から垂直に起立された起立部４８ｂとから略Ｌ字状断面をなして形成されている。したがって、端板３２の下端部にはその幅方向に全長に渡って延びるとともに、上面が開放された溝Ｂが形成されている。この溝Ｂの両端は反射板３１が備える溝Ａの端に連続されるようになっている。
【００４５】
端板３２の幅方向両端部には、張出し縁部４８の両端から一体に延出された連結凸部４９が夫々設けられている。この凸部４９は、図５に示されるように反射板３１が備える溝に挿入されるものであって、張出しベース３５ａの上面に重なる凸部ベース４９ａと、この側縁から垂直上方に折れ曲るように起立されて前記断面逆Ｕ字形の起立部３５ｂの内部に挿入される挿入部４９ｂとからＬ字状をなして形成されている。
【００４６】
この連結凸部４９と張出し縁部４８との間には段差５０（図５参照）が形成されている。段差５０は、凸部ベース４９ａの下面と挿入部４９ｂの外面および上端面とにわたり略Ｌ形をなして設けられ、その深さは反射板３１の板厚と同じである。それにより、反射板３１に端板３２を連結して反射笠２１を組み立てた時に、互いに連続する張出しベース３５ａ、４８ａが面一に連なり、同様に互いに連続するに起立部３５ｂ，４８ｂの外面が面一に連なるとともに、起立部３５ｂ、４８ｂの上端面が面一に連なって、良好な反射笠２１の外観を呈するようになっている。
【００４７】
挿入部４９ｂは起立部３５ｂ内に容易に挿入できるように先細状に形成されている。そして、この挿入部４９ｂにはその上面から切欠溝５１が設けられている。この切欠溝５１には図８および図９に示されるように前記切り起こし片３７が入り込んで係合され、それによって、端板３２を反射板３１に固定するようになっている。したがって、切り起こし片３７および切欠溝５１は第３の外れ止め手段をなしている。
【００４８】
また、図２および図５に示されるように端板３２には一対のソケット装着孔５２が二組設けられていて、これらを用いて端板３２の内面にランプソケット２５が夫々直接装着されている。
【００４９】
すなわち、図５および図６に示されるようにランプソケット２５は、その合成樹脂製ソケッドボデーの幅方向両側部に、背面側に一体に突出された係止突起部２５ａを有しており、これら一対の突起部２５ａの突出端には抜け止めベッドが形成されている。こうした係止突起部２５ａを備えたランプソケット２５は、その突起部２５ａを自らの弾性変形を介して対応する一対のソケット装着孔５２に通し、この孔５２に前記抜け止めヘッドを掛合させることにより、ねじその他の固定部品を使用することなく端板３２に取付けられている。
【００５０】
ランプソケット２５は、かつ、ＪＩＳ  Ｃ  ７６０１に規定される「Ｇ１３」に係る口金に適合する回転形のものであり、後述の不適合ランプセット阻止部がない場合には、高周波点灯専用形蛍光ランプ、および前記規格のうち「ＦＬＲ４０Ｓ」、「ＦＬＲ４０Ｓ／３６」の一般的な蛍光ランプを接続できる。前者の蛍光ランプは、そのバルブ径が後者の一般用蛍光ランプのバルブ径よりも細いとともに、この高周波点灯専用形蛍光ランプは在来の一般的な商用電源周波数による点灯回路では点灯することができないものである。
【００５１】
反射笠２１の長手方向に対向するランプソケット２５間には、けい光ランプ２６が着脱可能に取付け支持されている。このランプ２６には前記高周波点灯専用形蛍光ランプが採用されている。したがって、このランプ２６のバルブ径よりも太い前記一般用蛍光ランプは、この照明器具に対しては不適合ランプとして認定されている。
【００５２】
端板３２には、前記不適合ランプの取付けを妨げる不適合ランプセット阻止部５３が設けられている。すなわち、この阻止部５３は、内側突出部４３の先端に一体に連ねられた垂直な板部分で形成されていて、端板３２の装着されたランプソケット２５の上部正面を覆い隠している。この阻止部５３の下端部は、円弧状をなしていて、ランプソケット２５に適合して取付けられる適合ランプ２６のバルブの外周面に近接されている。それにより、不適合ランプセット阻止部５３は、ランプソケット２５への適合ランプ２６の取付けは許すが、このランプ２６のバルブより太いバルブを有した不適合ランプを取付けようとする際には、このランプのバルブが当たって、そのランプソケット２５への取付けを妨げるようになっている。
【００５３】
なお、図２および図５に示されるように端板の幅方向中央部には送り配線用通孔５５と、この両側に位置して一対の金具取付け孔５６とが設けられている。複数の照明器具を長手方向に並設する場合に、隣接する照明器具間に設けられて、これら隣接する照明器具の相対向する端板同志を連結するための連結金具が、金具取付け孔５６を通るねじにより端板３２の外面に固定されるものである。
【００５４】
前記反射板取付け具２２は、反射板３１の天井壁３３に取付けられており、これらを介してＶ形反射板２３が反射板３１の内面に取付けられている。このＶ形反射板２３は、反射笠２１における端板３２の内面間の長さと略等しい長さであって、反射板３１の幅方向中央部に配置されており、その両側にけい光ランプ２６が夫々配設されている。天井壁３３にはＶ形反射板２３で覆い隠されて点灯装置２４が取付けられている。この装置２４は高周波点灯専用形蛍光ランプを点灯させるための専用の高周波点灯回路からなる。
【００５５】
Ｖ形反射板２３の長手方向両端部には図示しないが夫々切欠溝が設けられていて、この溝を通って前記内側突出部４３および不適合ランプセット阻止部５３の長手方向一端部が、図６に示されるようにＶ形反射板２３の内側に入り込んでいる。そして、内側突出部４３および不適合ランプセット阻止部５３の裏側を通って、点灯装置２４からランプソケット２５に至るリード線が配線されている。したがって、内側突出部４３および不適合ランプセット阻止部５３は線隠しを兼ねていて、前記リード線が反射笠２１の内部に露出して器具の体裁を損なわないようにしている。
【００５６】
前記構成の照明器具の反射笠２１は次のようにして組み立てられる。
まず、図５に示されるように反射板３１の長手方向両端に端板３２を対向させ、その連結凸部４９と反射板３１の張出し縁部３５とを位置合わせしてから、反射板３１の端部に端板３２が嵌まるように組み合わせる。
【００５７】
それにより、はじめに、反射板３１の側壁３４と張出し縁部３５とがなす溝Ａに連結凸部４９が圧入気味に挿入され、同時に、この凸部４９の挿入部４９ｂが張出し縁部３５の起立部３５ｂ内に圧入気味に挿入される。そして、これらの進行に伴って、端板３２の第１外側突出部４１が反射板３１の端部における天井壁３３の中央部外面に重なるようになるとともに、一対の第２外側突出部４２が反射板３１の端部における側壁３４の外面に重なるようになり、かつ、端板３２の一対の内側突出部４３が反射板３１の端部における天井壁３３と側壁３４とがなす角部の内面に重なり合うようになる。この組み合わせは、内外の突出部４１〜４３間のスリット４６に反射板３１の端部が通されることで実現できる。
【００５８】
こうした反射板３１の端部への端板３２の嵌合作業は、端板３２の内面および段差５０に反射板３１の長手方向の端面が突き当たることにより終了する。それにより、合成樹脂製の端板３２は、その内外の突出部４１〜４３で反射板３１の端部を内外から挟むように反射板３１に組み合わされて、反射板３１の端部開口を閉鎖して設けられる。
【００５９】
この組み合わせ状態では、内側突出部４１〜４３と反射板３１の端部との係合で、反射板３１および端板３２が上下方向に不用意に分離することが防止される。しかも、側壁３４とその張出し縁部３５とがなす溝Ａへの連結凸部４９への挿入により、連結凸部４９を介して反射板３１と端板３２の張出し縁部３５、４８相互が結合して、反射板３１から端板３２が外れないように仮保持できる。
【００６０】
その上、内側突出部４３の上面に反射板３１の天井壁３３と側壁３４とがなす角部が重なることに伴って、反射板３１の一対の固定孔３８に内側突出部４３の係止凸部４７が夫々引っ掛けられる。したがって、これらの係合によっても反射板３１から端板３２が外れないように保持できる。
【００６１】
また、前記組み合わせ状態では、張出し縁部３５の前記段差５０への当接により、連結凸部４９の切欠溝５１と起立部３５ｂの切り起こし片３７とが位置決めされている。
【００６２】
次に、切り起こし片３７を側壁３４側から変形させて、図８および図９に示されるように切欠溝５１内に入り込ませ、この溝５１と切り起こし片３７とを係合させる。この係合により、固定部品を用いることなく連結凸部４９が反射板３１の張出し縁部３５から外れることを防止できる。
【００６３】
最後に、ねじ４５を第１外側突出部４１の通孔４４に通して、これに対向している反射板３１のねじ受け孔３９に螺合して締め付ける。それにより、反射板３１と端板３２とを固定して、端板３２が反射板３１から万が一にも不用意に外れることを防止できる。
【００６４】
以上の手順により下面が開放された反射笠２１が組み立てられる。また、こうして組み立てられた反射笠２１が天井部にセットされた後に、Ｖ形反射板２３が反射板３１に取付けられて器具全体の組み立てが完了する。このＶ形反射板２３により、点灯装置２４およびねじ４５の先端部等が覆い隠される。なお、端板３２の内面へのランプソケット２５を取付け、および反射板３１への反射板取付け具２２、点灯装置２４および図示しない端子台等の取付けは、反射笠２１の組み立て前或いは組み立て後に行われる。
【００６５】
このように組み立てられる照明器具は、その反射笠２１を以上のように溶接止めによることなく組み立てることができるので、溶接の手間を省略でき、それに伴って反射板３１にカラー鋼板を使用できるとともに、端板３２を塗装を必要としない合成樹脂製とできるので、反射笠２１の製造に当たり塗装を省略できる。しかも、以上のように内外の突出部４１〜４３および連結凸部４９と反射板３１の端部とが互いに入り組んで組み合わされることにより、反射笠２１の組み立て強度を向上できる。それに伴いねじ止めをするにしても、そのねじ止め箇所を１箇所程度に少なくできるから、組み立てに要する部品や工数も少なくできる。したがって、この照明器具の中でも主要な部品である反射笠２１を低コストで作ることができ、ひいては照明器具のコストダウンが可能である。
【００６６】
そして、既述のように反射板３１の溝Ａの端部に挿入されて反射笠２１の組み立て強度を向上するのに有効な連結凸部４９は、反射板３１および端板３２の張出し縁部３５、４８同志の合わせ部を上面から覆っているから、この凸部４９によって張出し縁部３５、４８の張出しべース３５ａ、４８ａ間の合わせ目Ｃ（図４参照）を反射笠２１の下方から目立ちづらくすることができる。それのみならず、連結凸部４９の挿入部４９ｂが起立部３５ｂの内部に挿入されているから、張出し縁部３５、４８の起立部３５ｂ、４８ｂ間の合わせ目Ｄ（図３参照）も目立ちづらくすることができる。
【００６７】
また、合成樹脂製の端板３２の寸法のばらつきは鋼板製の反射板３１に比較して大きい。しかし、端板３２の内側突出部４３を反射板３１の天井壁３３と側壁３４とがなす角部内面に重ねたから、この角部に対応する内側突出部４３の角部間の寸法が天井壁３３の幅よりも大きめの場合には、反射板３１の弾性変形により吸収して反射笠２１を組み立てることができるとともに、同角部間の寸法が小さめの場合には、反射板３１と内側突出部４３との間に隙間を設けて反射笠２１を組み立てることができる。
【００６８】
ところで、こうした寸法ばらつきの吸収に伴い反射板端部の変形や隙間が発生する。それも拘らず、これらが生じる部分は反射笠２１の外面側であるので、それは反射笠２１を下側から見たときに視認されることがない。しかも、端板３２の外側突出部４１、４２が反射板３１の側壁３４の端部外面を覆って設けられるから、この突出部４１、４２が反射笠２１を下側から見たときに視認されることがない。したがって、前記合わせ目が目立ちづらいことと相俟って、この器具の体裁をすこぶる良好なものとできる。
【００６９】
また、前記のようにスリット４６を介して連続的に設けられている端板３２の各突出部４１〜４３は、反射板３１の端部を内外から挟むように反射板３１と組み合わされているから、これら突出部４１〜４３および反射板３１の端部によって、反射笠２１の端部からの光漏れを防止することができる。なお、端板３２の成形寸法のばらつきで、反射板３１の角部と内側突出部４３との間に隙間ができる場合には、そこから光が漏れる可能性があるが、その箇所は下方から視認できるところではないので、商品性を格別に損なうものとはならず、実用上は無視できるものである。
【００７０】
また、既述のように反射板３１の張出し縁部３５の起立部３５ｂが断面逆Ｕの字状をなすから、この起立部３５ｂのエッジが上向きに露出することはない。そのため、反射笠３１の既述の組み立てや器具の天井部への取付け施工を行う際に、作業者が起立部３５ｂに触れることがあっても、前記エッジに接触することはない。したがって、作業者が傷を負うことが防止され、安全に前記作業を行うことができる。
【００７１】
しかも、既述のように端板３２の連結凸部４９に、逆Ｕ字状の起立部３５ｂに挿入される挿入部４９ｂを設けたから、連結凸部４９が略Ｌ字状となり、その強度を高めることができる。そして、このように強度が大きい連結凸部４９と反射板３１の張出し縁部３５とを、既述の切欠溝５１と切り起こし片３７との係合により、固定部品を用いないでも、連結凸部４９と張出し縁部３５とが強固に連結され、したがって、反射笠２１の組み立て強度をより強くできる。
【００７２】
また、端板３２から反射板３１方向に各突出部４１〜４３より長く突出された連結凸部４９は、第１の外側突出部４１に一体につながっているから、外側突出部４１で連結凸部４９を支えて、連結凸部４９がその根元を中心にあおられるように動くことを防止できるとともに、この連結凸部４９根元に掛かる負荷を軽減することができる。したがって、反射笠２１の組み立て強度をより向上することができ、それにより、器具の搬送中の落下等において過大な衝撃が器具に加わった場合にも、連結凸部４９と反射板３１との連結が損なわれる恐れをなくすことができる。
【００７３】
また、内側突出部４３の先端に不適合ランプセット阻止部５３を一体に設けたから、所定のバルブ径を有した適合ランプ２６がランプソケット２５に取付けられる場合に、その邪魔となることがないとともに、不適合ランプをランプソケット２５にセットしようとするときには、このランプのバルブが前記阻止部５３に当たって、その装着が妨げられ、この不適合ランプの誤装着を防止することができる。
【００７４】
また、前記構成の照明器具においては、ランプソケット２５がその係止突起部２５ａを端板３２のソケット装着孔５２に通して掛止することで端板３２に直接取付けられているから、ソケット取付け用部品を省略できる。しかも、不適合ランプセット阻止部５３は既述のように端板３２の内側突出部４３に一体成形されているため、不適合ランプの誤装着を妨げるための部品も省略できる。このように器具の部品点数が削減されるとともに、組み立ての手間も少なくできるから、器具をより安価に作ることができる。
【００７５】
図１０は本発明の第２実施例の要部を示している。この第２実施例は、非常照明明器具に適合する構成を付加した点、および第２外側突出部と連結凸部とをつなぐ構造が前記第１実施例とは異なり、それ以外の構成は図１０に図示されない部分を含めて図１〜図９に示した前記第１実施例の照明器具と同一ないしは同様な構成であるので、図示されない構成については図１〜図９をもって代用するとともに、図示される同一ないしは同様な構成部分には第１実施例と同一の符号を付して、それらの構成の説明およびそれに基づく作用効果の説明については省略するが、これら同一ないしは同様な部分についても第２実施例に係る照明器具の構成の一部をなすものである。
【００７６】
この第２実施例において、第２外側突出部４２の下端部は、その下端に向かうに従い連結凸部４９に沿うように次第に突出されて、連結凸部４９の挿入部４９ｂが起立された縁とは反対側の縁の略全体に渡って一体につなげられている。こうした構造により、連結凸部４９に対する第２外側突出部４２の支持性能をより向上させて、連結凸部４９の変形・破損などをより確実に防止できる。
【００７７】
また、第２実施例では合成樹脂製の端板３２をその外面から覆う端板カバー６１が付加されている。このカバー６１は、端板３２と略同形状であり、下縁に端板３２の張出しベース４８ａに載置される張り出だし縁６１ａが折り曲げられているとともに、上縁略中央部に端板３２の第１外側突出部４１の上面に重なり合う取付け縁部６１ｂが折り曲げられている。この取付け縁部６１ｂには第１外側突出部４１の通孔４４に連通する通孔６２が設けられている。端板カバー６１は不燃材製、例えば材料の入手と加工が容易であって安価な鉄板で形成されている。この端板カバー６１は、通孔６２、４４を通って反射板３１のねじ受け孔３９に螺合されるねじ４５で、折り曲げ部６１ｂを共締めすることで固定されている。なお、以上の点以外の構成は前記第１実施例と同じである。
【００７８】
前記端板カバー６１が付加された第２実施例に係る照明器具においても、前記第１実施例と同様な作用を得て、本発明の所期の目的を達成できる。加えて、端板カバー６１の不燃性能により合成樹脂製の端板３２を防炎性を向上できるので、周囲から及ぼされる熱に対して強く、したがって、少なくとも火災時に点灯して使用される非常用照明器具に適合する性能を得ることができる。また、こうした端板３２の防炎性能を向上するための端板カバー６１を固定するのに、端板３２を反射板３１に連結するために第１外れ止め手段をなすねじ４５を兼用したので、特別に端板カバー６１を固定するための部品を必要とすることがない。
【００７９】
図１１および図１２は本発明の第３実施例の要部を示している。この第３実施例は、端板の上縁部に設けられる突出部の構成、および非常照明明器具に適合する構成を付加した点が前記第１実施例とは異なり、それ以外の構成は図１１および図１２に図示されない部分を含めて図１〜図９に示した前記第１実施例の照明器具と同一ないしは同様な構成であるので、図示されない構成については図１〜図９をもって代用するとともに、図示される同一ないしは同様な構成部分には第１実施例と同一の符号を付して、それらの構成の説明およびそれに基づく作用効果の説明については省略するが、これら同一ないしは同様な部分についても第３実施例に係る照明器具の構成の一部をなすものである。
【００８０】
この第３実施例では、内側突出部４３が端板３２の上縁全体に渡って設けられていて、前記第１実施例において設けた第１の外側突出部は省略されている。この内側突出部４３と外側突出部４２とはスリット４６を介して連続的に設けられている。そして、内側突出部４３の長手方向両端部における上面には夫々係止凸部４７が一体に設けられているとともに、先端部は不適合ランプセット阻止部５３が一体に設けられている。また、内側突出部４３の長手方向中央部にはねじ受け孔３９が設けられているとともに、内側突出部４３の上面に重なり合う反射板３１の天井壁３３にはねじ受け孔３９に連通する通孔４４が設けられている。なお、ねじ受け通孔３９は、その強度を増すために必要により内側突出部４３の上面または下面に肉盛り形成して、それを貫通してしてもよい。
【００８１】
また、第３実施例では合成樹脂製の端板３２をその外面から覆う端板カバー６１が付加されている。このカバー６１は、端板３２と略同形状であり、下縁に端板３２の張出しベース４８ａに載置される張り出だし縁６１ａが折り曲げられているとともに、上縁略中央部に端板３２の第１外側突出部４１の上面に重なり合う取付け縁部６１ｂが折り曲げられている。この取付け縁部６１ｂには第１外側突出部４１の通孔４４に連通する通孔６２が設けられている。端板カバー６１は不燃材製、例えば材料の入手と加工が容易であって安価な鉄板で形成されている。この端板カバー６１は、通孔６２、４４を通って反射板３１のねじ受け孔３９に螺合されるねじ４５で、折り曲げ部６１ｂを共締めすることで固定されている。なお、以上の点以外の構成は前記第１実施例と同じである。
【００８２】
こうした端板カバー６１が付加された第３実施例に係る照明器具においても、前記第１実施例と同様な作用を得て、本発明の所期の目的を達成できる。加えて、端板カバー６１の不燃性能により合成樹脂製の端板３２を防炎性を向上できるので、周囲から及ぼされる熱に対して強く、したがって、非常用照明器具に適合する性能を得ることができる。また、端板カバー６１を固定するのに、端板３２を反射板３１に連結するねじ４５を兼用したので、特別に端板カバー６１を固定するための部品を必要とすることがない。
【００８３】
なお、本発明は前記各実施例に制約されない。例えば、本発明は、Ｖ形反射板を複数設けて、けい光ランプを３本以上取付けて使用される照明器具にも適用できるとともに、光源としてのランプは直管形のけい光ランプ以外に環型ランプその他のランプを使用できる。また、本発明は、埋め込み形以外の照明器具にも適用できる。
【００８４】
さらに、本発明において、係止凸部４７とこれが係合される固定孔３８とからなる外れ止め手段は、外側突出部４２と側壁３４とに分担して設けてもよく、しかも、係止凸部４７を反射板３１の端部に切り起こして設けるとともに、この凸部４７と対応する位置の内側突出部また外側突出部に固定孔３８（通孔に限らず、凹部も含む。）を設けて実施することもできる。
【００８５】
【発明の効果】
以上詳記したように本発明は構成されているので、次の効果を有する。
【００８６】
請求項１の発明に係る照明器具によれば、反射笠を作るに当たり溶接および塗装を省略できるとともに、その組み立てに要する部品や工数も少なくて済むから、安価に作ることができる。その上、端板の内外の突出部および連結凸部と反射板の端部とを互いに入り組ませて反射笠の組み立て強度を向上できるとともに、連結凸部により反射板と端板との張出し縁部同志の合わせ目を反射笠の下方から目立ちづらくでき、体裁がよい。
【００８７】
更に、合成樹脂製の端板の成形寸法のばらつきにより、反射板の天井壁と側壁とがなす角部に対応する内側突出部の角部間の寸法が天井壁の幅よりも大きめであっても小さめであっても、反射笠を組み立てることができ、また、端板の成形寸法のばらつきが現れる部分が反射笠の外面側であるとともに、端板の外側突出部が反射板の側壁の外面を覆っていて、これらが反射笠を下側から見たときに視認されることがないので、端板が反射笠の見栄えを損うことを少なくできる。
【００８８】
請求項３の発明に係る照明器具によれば、反射笠の組み立てや器具の取付け施工を行う作業者が反射板の起立部に触れることがあっても、前記起立部のエッジに接触することがないので、作業者が傷を負うことがなく安全に作業できる。しかも、連結凸部の強度を高くでき、この凸部の挿入部の切欠溝と、起立部から切り起こした切り起こし片との係合により、連結凸部が反射板の張出し縁部から外れることを防止したから、反射笠の組み立て強度をより強くできる。
【００８９】
請求項２の発明に係る照明器具によれば、端板の突出部で連結凸部が支えたので、連結凸部がその根元を中心とする不要な動きが防止されるとともに、前記根元に掛かる負荷が軽減されて、反射笠の組み立て強度がより向上でき、それにより、過大な衝撃が器具に加わった場合にも連結凸部と反射板との連結が損なわれる恐をなくすことができる。
【００９０】
請求項４の発明に係る照明器具によれば、ソケット取付け用部品を要することなくランプソケットを端板に直接装着できるとともに、不適合ランプセット阻止部を端板の内側突出部に一体成形したから、部品点数を削減でき、したがって、より安価に器具を作ることができる。また、不適合ランプセット阻止部により、不適合ランプの誤装着を防止できる。
【図面の簡単な説明】
【図１】本発明の第１実施例に係る埋め込み形照明器具全体の構成を示す斜視図。
【図２】第１実施例に係る埋め込み形照明器具の構成を図１中矢印Ｚ方向から見て示す図。
【図３】第１実施例に係る埋め込み形照明器具の一端部の構成を示す側面図。
【図４】図３に示された一端部の構成を示す平面図。
【図５】図３に示された一端部の構成を分解して示す斜視図。
【図６】第１実施例に係る埋め込み形照明器具の構成を示す断面図。
【図７】図５中Ｙ部を拡大して示す斜視図。
【図８】第１実施例に係る埋め込み形照明器具の第３固定手段の構成を示す斜視図。
【図９】第１固定手段の構成を図８中ＸーＸ線に沿って示す断面図。
【図１０】本発明の第２実施例に係る埋め込み形照明器具の一端部の構成を分解して示す斜視図。
【図１１】本発明の第３実施例に係る埋め込み形照明器具の一端部の構成を分解して示す斜視図。
【図１２】第３実施例に係る埋め込み形照明器具の構成を示す断面図。
【図１３】従来例に係る埋め込み形照明器具全体の構成を示す斜視図。
【図１４】従来例に係る埋め込み形照明器具の一端部の構成を示す平面図。
【図１５】従来例に係る埋め込み形照明器具の構成を図１中矢印Ｗ方向から見て一部切欠して概略的に示す図。
【符号の説明】
２１…反射笠、２５…ランプソケット、２５ａ…係止突起部、２６…けい光ランプ（適合ランプ）、３１…反射板、３２…端板、３３…天井壁、３４…側壁、３５…反射板の張出し縁部、３５ａ…張出しベース、３５ｂ…起立部、Ａ…溝、３８…固定孔（外れ止め手段）、４１…第１の外側突出部、４２…第２の外側突出部、４３…内側突出部、４６…スリット、４７…係止凸部（外れ止め手段）、４８…端板の張出し縁部、４８ａ…張出しベース、４８ｂ…起立部、４９…連結凸部、４９ａ…凸部ベース、４９ｂ…挿入部、５０…段差、５２…ソケット装着孔、５３…不適合ランプセット阻止部。
【図１】
0003843469.tif 000002
【図２】
0003843469.tif 000003
【図３】
0003843469.tif 000004
【図４】
0003843469.tif 000005
【図５】
0003843469.tif 000006
【図６】
0003843469.tif 000007
【図７】
0003843469.tif 000008
【図８】
0003843469.tif 000009
【図９】
0003843469.tif 000010
【図１０】
0003843469.tif 000011
【図１１】
0003843469.tif 000012
【図１２】
0003843469.tif 000013
【図１３】
0003843469.tif 000014
【図１４】
0003843469.tif 000015
【図１５】
0003843469.tif 000016